(57)【要約】【課題】生涯記録のニューコンセプトの確立。【解決手段】個人の人体と同体的に移動する本体（４）に搭載されるカメラ（７）により撮影される撮影画像の画像データ（２２）が記憶される。制御回路（９）は、個人の肉体の中で生成される電気的信号（１４）を検出するセンサ（８）と、電気的信号（１４）のうち閾値値より大きい電気的信号を感情起伏信号（１８）として抽出する抽出回路（２４）とから形成されている。カメラ（７）は感情起伏信号（１８）の生成時期に対応する撮影時期に人体の外界に相当する生涯断面（Ｚ）を撮影する。本人の外界である生涯断面は、撮影対象（Ｚ）として同定される。感情起伏に対応する外界は、精神的により高められる心象的実在として記録され、ダイナミックな４次元化により、心象は生涯の断面として概念化される。【選択図】          図２
2005260892.tif 000002
【特許請求の範囲】
【請求項１】
ユーザに装着される本体と、
前記本体に搭載される撮像装置と、
前記本体に搭載され、前記カメラにより撮影される撮影画像の画像データを記憶するメモリと、
前記本体に搭載され、前記カメラの動作を制御する制御回路とを具え、
前記制御回路は、
前記個人の肉体の中で生成される電気的信号を検出するセンサと、
前記電気的信号のうち閾値値より大きい電気的信号を感情起伏信号として抽出する抽出回路とを備え、
前記撮像装置は前記感情起伏信号の生成時期に対応する撮影時期に前記ユーザの周囲の風景あるいは背景を撮影する
心象風景記録機。
【請求項２】
前記本体はペンダント型に形成され、前記電気的信号は心臓の鼓動に相当する信号である
請求項１の心象風景記録機。
【請求項３】
前記本体は前記人体の頭に装着され、前記電気的信号は脳内電流に相当する信号である
請求項１の心象風景記録機。
【請求項４】
前記抽出回路は、前記感情起伏信号の単位時間内のパルス数を計数する計数回路を備え、
前記撮影間隔はパルス数の多少に基づいて決定される
請求項１乃至３のいずれかに記載の心象風景記録機。
【請求項５】
前記本体に結合するアンテナを更に具え、
前記アンテナは前記撮影画像を電波により前記本体の外部に装備される記録装置に送信する
請求項１〜４から選択される１請求項の心象風景記録機。
【請求項６】
前記撮像装置は、
第１撮像装置と、
第２撮像装置とを備え、
前記第１撮像装置と前記第２撮像装置は、概ね水平方向に配列され、前記撮影画像を立体化する
請求項１〜５から選択される１請求項の心象風景記録機。
【発明の詳細な説明】
【技術分野】
【０００１】
本発明は、心象風景記録機に関し、特に、ユーザーの感動等に基づいて風景を記録する心象風景記録機に関する。
【背景技術】
【０００２】
画家により描かれる肖像は、その人の生涯の瞬間的な一断面として作成されている。写真機の発明により、そのような断面の数は飛躍的に増大している。写真アルバムは、生涯を記録するための記録台帳である。写真アルバムから選択される複数の断面は、結婚披露宴でスライド式投射機でスクリーンに映し出されることがある。ディジタルカメラ、カメラ付き携帯電話機は、そのような写真撮影を場所的に、時間的に多様化している。個人の生涯データは、このように飛躍的に今後更に増大することが確実である。
【０００３】
そのようなデータ量の増大に歩調を合わせてデータメモリの容量が飛躍的に増大している。データ量とメモリ容量の増大は、生涯記録の飛躍的増大を可能にする。
【０００４】
そのような膨大なデータ量の生涯記録を可能にする近未来を迎えるために、記録方法を斬新に変革することが望まれる。公知の生涯記録方法は、写真館のプロの写真家の指導を受けて生涯に一度の結婚写真を製作することに見られるように、その記録には自然さがない。”チーズ”といわされて強制的に撮影される映像は自然ではなく感動的ではない。他人にとられる写真は、とられる側の意識が映像に現れて面白くなく生々しくない。意識して景色を撮影する撮影者には、理性的判断があり、理性的判断と撮影者の本当の感動とは必ずしも一致していない。
【０００５】
生涯記録とは何であるか哲学的に基本に立ち返って、生涯記録の概念を斬新に変革することが望まれる。
【発明の開示】
【発明が解決しようとする課題】
【０００６】
本発明の課題は、生涯記録のニューコンセプトを確立する心象風景記録機を提供することにある。
本発明の他の課題は、そのニューコンセプトを容易に実現する心象風景記録機を提供することにある。
【課題を解決するための手段】
【０００７】
本発明による心象風景記録機は、ユーザに装着される本体（４）と、本体（４）に搭載されるカメラ（７）と、本体（４）に搭載されカメラ（７）により撮影される撮影画像の画像データ（２２）を記憶するメモリ（１３）と、本体（４）に搭載されカメラ（７）の動作を制御する制御回路（９）とから構成されている。制御回路（９）は、個人の肉体の中で生成される電気的信号（１４）を検出するセンサ（８）と、電気的信号（１４）のうち閾値値より大きい電気的信号を感情起伏信号（１８）として抽出する抽出回路（２４）とから形成されている。カメラ（７）は感情起伏信号（１８）の生成時期に対応する撮影時期に人体の外界に相当する生涯断面（Ｚ）を撮影する。
【０００８】
本人の外界である生涯断面は、撮影対象（Ｚ）として同定される。単に物理的に人の網膜に映像化されるデータは、人の記憶に強く残らず、又は、全く残らない。人の脳に記録される映像は、明確に再生されにくい。電子的に記録される画像は高精細に再生される。電子的記録画像は、それが撮影され記録された時点の心象として高精細に印象的に再生され、メモリ（１３）は脳の外部記憶装置として利用される。画像データ（２２）は、撮影時の時刻とともに保存される。
【０００９】
本体（４）は、首か吊られるペンダント型に形成される。この場合には、電気的信号としては心臓の鼓動に相当する信号が適正である。電気信号は、電気に起因する磁気信号又は電磁気的信号を含むことは当業者には自明的である。又は、本体（４）は人体の頭に装着される。この場合には、電気的信号は脳内電流に相当する信号である。脳内電流波の検出は、近年ますます高精度化されつつある。
【００１０】
抽出回路（２４）には、感情起伏信号（１８）の単位時間内のパルス数を計数する計数回路が属している。撮影時期の連続時間の長短は、そのパルス数の多少に対応することは有意義である。又は、撮影時期は単位時間当たりの撮影回数として定義され、その撮影回数の多少はパルス数の多少に対応することが有意義である。ここで、連続時間は、カメラの２次元ＣＣＤの撮影サイクルを示す時系列点の集合として定義される。
【００１１】
本体（４）にアンテナ（２７）を結合することは有意義である。アンテナ（２７）は撮影画像（２２）を電波により本体（４）の外界に装備される記録装置（３１）に送信される。このような送信により、メモリ１３の記憶容量を飛躍的に削減することができる。この場合に、記録装置は個人に対応するパソコン（３１）であることは有意義である。撮影画像（２２）は更にインタネット（３０）を介してパソコン（３１）に送信されることが便利である。
【００１２】
カメラ（７）は、第１カメラ（７−１）と、第２カメラ（７−２）とで構成されることが有意義である。第１カメラ（７−１）と第２カメラ（７−２）は、水平方向に配列され、撮影画像を立体化することができる。水平方向に配列される第１カメラ（７−１）と第２カメラ（７−２）は、人の両眼の立体的視覚に忠実に画像を再生するために有意義である。立体化は、過去に見た外界を生々しく再生する効果がある。
【発明の効果】
【００１３】
本発明による心象風景記録機によれば、生涯断面の集合としての時間軸上の画像列を得ることができる。
【発明を実施するための最良の形態】
【００１４】
以下に添付図面を参照して、本発明の心象風景記録機について詳細に説明する。図１は、本発明の一実施形態による心象風景記録機３の構成を示している。実施形態による心象風景記録機は、生涯風景を記録すべきユーザの首１に吊り紐２を介して吊られるペンダント（胸飾り）のような形状で提供される。生涯記録撮影器３は、ディジタルカメラまたはビデオカメラを備えている。このデジタルカメラは、静止画を撮影し、ビデオカメラは動画を撮影する。以降、単にカメラと言うときには、ディジタルカメラまたはビデオカメラのいずれであってもよい。生涯記録撮影器３は、図２に示されるように、筐体４と、蓋５とを備えている。蓋５には、把手６が形成されている。把手６を操作することにより、蓋５を筐体４に対して着脱することができる。筐体４の中には、個人のＩＤ番号札が装着されている。その番号札は、生涯記録撮影器３の紛失時に生涯記録撮影器３をそのユーザに戻すために用いられる。蓋５は、生涯記録撮影器３の裏面側に形成されることが好ましい。生涯記録撮影器３には左右対称位置（水平方向の２位置）に、２つの撮影器７（７−１，７−２）が配置されている。こうして、２つの撮影器７は、立体画像を撮影することができる。生涯記録撮影器３には、感情起伏センサ８が内蔵されている。
【００１５】
図３は、本発明による心象風景記録機の生涯記録システムを示している。図３は、撮影器７と撮影対象（例示：富士山）Ｚとの位置関係を誇張して示している。その生涯記録システムは、生涯記録制御回路９と撮影器７とから構成されている。撮影器７は、第１カメラ７−１と第２カメラ７−２とから構成されている。生涯記録制御回路９は、図３に示されるように、電源電池１１と、既述の感情起伏センサ８と、感情信号抽出増幅回路１２と、画像記録メモリ１３とから形成されている。
【００１６】
電源電池１１は、燃料型発電電池、太陽光発電電池、又は、充電型電池として提供される。感情起伏センサ８は、心臓で生成される脈動周期生成電気に起因する心臓起因電気信号１４の振幅Ｐを検出することができる。図４は、心臓起因電気信号１４を例示している。感情起伏センサ８は、平常時脈動パルス１５と平常時脈動パルス１５より振れ幅が大きい感情起伏検出パルス１６を検出することができる。感情信号抽出増幅回路１２は、閾値電圧レベル又は閾値電流レベル１７よりレベルが高い電圧あるいは電流の波形の存在を抽出することにより感情起伏検出パルス１６を出力する。感情起伏センサ８から出力される感情起伏検出パルス１６は、感情信号抽出増幅回路１２で増幅され、感情起伏増幅信号１８として出力される。このとき、感情起伏増幅信号１８は、感情起伏検出パルス１６が出力されるたびに出力されても良い。あるいは、一度感情起伏増幅信号１８が出力されると、所定時間の間は感情起伏検出パルス１６が出力されても、感情起伏増幅信号１８の出力が禁止されてもよい。感情起伏増幅信号１８が存在するときにのみ、撮影が許されてもよい。従って、撮影は、ユーザがシャッタを押すことにより行われても良いし、感情起伏増幅信号１８の出現に応答しておこなわれてもよい。
その後、第１カメラ７−１と第２カメラ７−２の各々の、電荷結合素子で形成されている２次元イメージセンサ１９は、感情起伏増幅信号１８に応答して、風景を画像データとして同期的に撮影する。こうして、第１カメラ７−１と第２カメラ７−２により、風景あるいは背景が時系列画像データとして得られる。両方の２次元イメージセンサ１９により撮影された左側映像２２と右側映像２３は、画像記録メモリ１３に蓄積される。
【００１７】
感情信号抽出増幅回路１２は、感情起伏検出パルス１６を平常時脈動パルス１５から区別して抽出する抽出回路２４と、感情起伏検出パルス１６の感情起伏態様を識別する感情起伏態様マップ２５を形成している。抽出回路２４は、感情起伏対応ハイパルス１６を感情起伏対応ハイパルス１６−Ｈと感情起伏対応ローパルス１６−Ｌとに区別して抽出することができる。感情起伏対応ハイパルス１６−Ｈは、第１レベル１７−１より高く且つ第２レベル１７−２より高い信号として同定され、感情起伏対応ローパルス１６−Ｌは第１レベル１７−１より高く第２レベル１７−２より低い信号として同定される。感情起伏態様マップ２５は、単位時間当たりの感情起伏対応ハイパルス１６−Ｈと単位時間当たりの感情起伏対応ローパルス１６−Ｌとのパルス数を計数し、且つ、単位時間内で感情起伏対応ハイパルス１６−Ｈと感情起伏対応ローパルス１６−Ｌのそれぞれの単位時間内密度分布（閾値時間内密度）を計算により検出することができる。感動が瞬時に大きい場合には、感情起伏対応ハイパルス１６−Ｈの高密度時間領域と感情起伏対応ローパルス１６−Ｌの低密度時間領域が時系列上で先行する。感情起伏対応ハイパルス１６−Ｈの高密度時間領域を検出する感情起伏態様マップ２５は、単位時間当たりでより多い感情起伏増幅信号１８を選択し、感情信号抽出増幅回路１２はより多いパルス数の感情起伏増幅信号１８を出力する。感情起伏が激しい間では、より多くの感情起伏増幅信号１８が生成され、より多くの左側映像２２と右側映像２３が画像記録メモリ１３に貯蔵される。感情起伏対応ハイパルス１６−Ｈの時間的密度がより小さい場合には、より少ない感情起伏増幅信号１８が生成され、より少ない左側映像２２と右側映像２３が画像記録メモリ１３に貯蔵される。
【００１８】
抽出回路２４には、感情起伏信号の単位時間内のパルス数を計数する計数回路（図示されず）が形成されている。撮影時期の連続時間の長短はパルス数の多少に対応することが好ましく、又は、撮影時期は単位時間当たりの撮影回数として定義され、撮影回数の多少はパルス数の多少に対応することが好ましい。
【００１９】
生涯記録撮影器３には、図２に示されるように、送信用手動操作ボタン２６と送信用アンテナ２７が装備されている。送信用手動操作ボタン２６が押される場合には、左側映像２２と右側映像２３のうち画像記録メモリ１３に新規に貯蔵されている画像データ２２’，２３’は、図５に示されるように、送信回路２８に転送され、更に増幅回路２９で増幅されて、アンテナ２７から送出される。画像データ２２’，２３’は、基地局、インタネット３０を介して個人の自宅のパソコン３１に送信され、更に、生涯画像記録ストレージ３２に時系列的に貯蔵される。パソコン３１には、アンテナ３３が付属し、画像記録メモリ１３のデータは、アンテナ３３を介して生涯画像記録ストレージ３２に貯蔵される。
【００２０】
本発明による心象風景記録機３は、基本的には自動モードで動作する。図２に示されるように、心象風景記録機３には自動モード解消ボタン３４と、非自動モード操作ボタン３５とが追加されてもよい。自動モード表示ランプ３６と非自動モード表示ランプ３７の追加は更に好ましい。非自動モード操作ボタン３５が押されたときには、自動モード中に撮影ボタン３８を操作することにより意識的に撮影することができる。
【００２１】
生涯記録撮影器３の第１カメラ７−１と第２カメラ７−２は、そのユーザーの前方に常に向けられている。自動モード解消ボタン３４が押されていない限り、２次元イメージセンサ１９は常に撮像可能状態にあり、感情起伏検出パルス１６が生成される場合に、撮影が自動的に行われる。このような撮影は、ユーザーにとって無意識的に行われる。本発明による心象風景記録機の基本的な使用形態では、ユーザー本人は撮影されず、ユーザーにとっては外界の存在である撮影対象Ｚに対してユーザーが感動する際に、ユーザーにとって外界である撮影対象が撮影される。撮影対象に対する感動意識は、ユーザーの本当の感動を示しているとは限らない。富士山を見るユーザーは、それを撮影しなければならないとする理性的義務感覚により撮影意識を持つている可能性が高い。本発明では、原則的に、無意識的感動が存在する場合のみ外界が撮影される。そのときの外界は、そのユーザーの無意識的意識のオブジェクトである可能性が高い。後日にその映像を再生して見るユーザーは、撮影時には気づかなかった自己意識を発見することができる。感動の度合いが大きい場合には、多数の感情起伏増幅信号１８により連写的画像が採取される。動画像の推移は、自己意識をより明らかにする分析の資料を提供する。パソコン３１は、後日に生涯画像記録ストレージ３２の画像データを分析し編集して生涯ドラマを作成し、ドラマ毎にパソコン３１にファイルすることができる。
【００２２】
感動が限度を超えて強く自己に意識される場合には、非自動モード操作ボタン３５の押し動作により、その感動的場面の詳細を意識的に撮影し、又は、そのような感動状態の自己を撮影することができる。
尚、上記実施形態では、２つのカメラが使用されているが、１つのカメラが搭載されていてもよいことは言うまでもない。
【００２３】
多様な感情と脳の感情対応生理活性部位の対応が詳細に知られつつある。図１に示されるように、脳内電流変化探知アンテナ３９を頭面に装着することが有意義である。脳内電流変化探知アンテナ３９に生涯記録撮影器３を装着し、又は、眼鏡（図示されず）に生涯記録撮影器３を装着することができる。この場合には、心臓起因電気信号１４に代替されて脳内電気対応信号が用いられる。複数のカメラにより撮影される画像は、パソコン３１のディスプレイ部位に２色カラーで表示され、又は、多眼レンズ付き立体表示画面にカラーで表示される。立体映像は、感情のダイナミックな変動を思い出させる効果がある。映像に時系列的に対応する周囲音声又は周囲音響を記録することは有意義である。
【図面の簡単な説明】
【００２４】
【図１】図１は、本発明による心象風景記録機の実現態を示す正面図である。
【図２】図２は、ペンダントを示す正面図である。
【図３】図３は、制御回路を示す回路ブロック図である。
【図４】図４は、感情起伏信号を示すグラフである。
【図５】図５は、データ送信システムを示す回路ブロック図である。
【符号の説明】
【００２５】
４…本体
７…カメラ
７−１…第１カメラ
７−２…第２カメラ
８…センサ
９…制御回路
１３…メモリ
１４…電気的信号
１８…感情起伏信号
２２…画像データ
２４…抽出回路
２７…アンテナ
３１…パソコン
３０…インタネット
Ｚ…撮影対象（心象）
【図１】
2005260892.tif 000003
【図２】
2005260892.tif 000004
【図３】
2005260892.tif 000005
【図４】
2005260892.tif 000006
【図５】
2005260892.tif 000007